(57)【要約】【課題】表示画面とは別に設けられた操作ボタンを有する電子表示器において、操作ボタンが操作された際に適切な動作を行うことが可能な技術を提案する。【解決手段】電子表示システム１００は、電子表示器１と、情報配信装置３とを備えている。電子表示器１は、表示画面と、当該表示画面とは別に設けられた操作ボタンとを有する。電子表示システム１００には、電子表示器１の位置を特定する位置特定部と、位置特定部で特定される電子表示器１の位置に応じて、当該電子表示器１の操作ボタンが操作された際の当該電子表示器１の動作を変更する動作変更部とが設けられている。【選択図】図１
2010243672.tif 000002
【特許請求の範囲】
【請求項１】
表示画面と、当該表示画面とは別に設けられた操作ボタンとを有する電子表示器と、前記電子表示器が表示する情報を当該電子表示器に配信する情報配信装置とを備える電子表示システムであって、
前記電子表示器の位置を特定する位置特定部と、
前記位置特定部で特定される前記電子表示器の位置に応じて、前記操作ボタンが操作された際の前記電子表示器の動作を変更する動作変更部と
を備える、電子表示システム。
【請求項２】
請求項１に記載の電子表示システムであって、
前記動作変更部は、前記情報配信装置に設けられている、電子表示システム。
【請求項３】
表示画面と、当該表示画面とは別に設けられた操作ボタンとを有する電子表示器と、前記電子表示器が表示する情報を当該電子表示器に配信する情報配信装置とを備える電子表示システムであって、
現在時刻を計測する計時部と、
前記計時部で計測される現在時刻に応じて、前記操作ボタンが操作された際の前記電子表示器の動作を変更する動作変更部と
を備える、電子表示システム。
【請求項４】
請求項３に記載の電子表示システムであって、
前記計時部及び前記動作変更部は、前記情報配信装置に設けられている、電子表示システム。
【請求項５】
表示画面と、当該表示画面とは別に設けられた操作ボタンとを備える電子表示器であって、
前記電子表示器の位置を特定する位置特定部と、
前記位置特定部で特定される前記電子表示器の位置に応じて、前記操作ボタンが操作された際の前記電子表示器の動作を変更する動作変更部と
を備える、電子表示器。
【請求項６】
表示画面と、当該表示画面とは別に設けられた操作ボタンとを備える電子表示器であって、
現在時刻を計測する計時部と、
前記計時部で計測される現在時刻に応じて、前記操作ボタンが操作された際の前記電子表示器の動作を変更する動作変更部と
を備える、電子表示器。
【発明の詳細な説明】
【技術分野】
【０００１】
本発明は、操作ボタンが表示画面とは別に設けられた電子表示器と、当該電子表示器を備える電子表示システムに関する。
【背景技術】
【０００２】
従来から電子表示器に関して様々な技術が提案されている。例えば特許文献１には、電子表示器として、移動体の現在位置を地図上に表示する、当該移動体に搭載された現在位置表示装置が開示されている。特許文献１の現在位置表示装置では、表示画面の一部がタッチスイッチとして機能している。
【０００３】
また特許文献２には、電子表示器として、作業内容を表示することによって作業者に作業指示を与える作業指示装置が開示されている。特許文献２の作業指示装置では、表示画面とは別に操作ボタンが設けられている。
【先行技術文献】
【特許文献】
【０００４】
【特許文献１】特開平７−１４１５９７号公報
【特許文献２】特開２００５−３３５００４号公報
【発明の概要】
【発明が解決しようとする課題】
【０００５】
さて、操作ボタンを有する電子表示器においては、操作ボタンが操作された際に適切な動作を行うことが望まれる。
【０００６】
そこで、本発明は上記の点に鑑みて成されたものであり、表示画面とは別に設けられた操作ボタンを有する電子表示器において、操作ボタンが操作された際に適切な動作を行うことが可能な技術を提案することを目的とする。
【課題を解決するための手段】
【０００７】
上記課題を解決するため、請求項１の発明は、表示画面と、当該表示画面とは別に設けられた操作ボタンとを有する電子表示器と、前記電子表示器が表示する情報を当該電子表示器に配信する情報配信装置とを備える電子表示システムであって、前記電子表示器の位置を特定する位置特定部と、前記位置特定部で特定される前記電子表示器の位置に応じて、前記操作ボタンが操作された際の前記電子表示器の動作を変更する動作変更部とを備える。
【０００８】
また、請求項２の発明は、請求項１に記載の電子表示システムであって、前記動作変更部は、前記情報配信装置に設けられている。
【０００９】
また、請求項３の発明は、表示画面と、当該表示画面とは別に設けられた操作ボタンとを有する電子表示器と、前記電子表示器が表示する情報を当該電子表示器に配信する情報配信装置とを備える電子表示システムであって、現在時刻を計測する計時部と、前記計時部で計測される現在時刻に応じて、前記操作ボタンが操作された際の前記電子表示器の動作を変更する動作変更部とを備える。
【００１０】
また、請求項４の発明は、請求項３に記載の電子表示システムであって、前記計時部及び前記動作変更部は、前記情報配信装置に設けられている。
【００１１】
また、請求項５の発明は、表示画面と、当該表示画面とは別に設けられた操作ボタンとを備える電子表示器であって、前記電子表示器の位置を特定する位置特定部と、前記位置特定部で特定される前記電子表示器の位置に応じて、前記操作ボタンが操作された際の前記電子表示器の動作を変更する動作変更部とを備える。
【００１２】
また、請求項６の発明は、表示画面と、当該表示画面とは別に設けられた操作ボタンとを備える電子表示器であって、現在時刻を計測する計時部と、前記計時部で計測される現在時刻に応じて、前記操作ボタンが操作された際の前記電子表示器の動作を変更する動作変更部とを備える。
【発明の効果】
【００１３】
請求項１、請求項２及び請求項５の発明によれば、電子表示器の位置に応じて、当該電子表示器が有する操作ボタンが操作された際の当該電子表示器の動作が自動的に変更される。そのため、電子表示器の位置に応じて、当該電子表示器の操作ボタンに適切な動作を自動的に割り当てることができる。よって、電子表示器は、操作ボタンが操作された際に、当該電子表示器の位置に応じた適切な動作を行うことができる。
【００１４】
特に、請求項２の発明によれば、電子表示器での処理が簡素化される。
【００１５】
また、請求項３、請求項４及び請求項６の発明によれば、現在時刻に応じて、電子表示器が有する操作ボタンが操作された際の当該電子表示器の動作が自動的に変更される。そのため、現在時刻に応じて、電子表示器の操作ボタンに適切な動作を自動的に割り当てることができる。よって、電子表示器は、操作ボタンが操作された際に、現在時刻に応じた適切な動作を行うことができる。
【００１６】
特に、請求項４の発明によれば、電子表示器での処理が簡素化される。
【図面の簡単な説明】
【００１７】
【図１】本発明の実施の形態１に係る電子表示システムの構成を示す図である。
【図２】本発明の実施の形態１に係る電子表示器の構成を示す図である。
【図３】本発明の実施の形態１に係る工程管理サーバの構成を示す図である。
【図４】本発明の実施の形態１に係る電子表示システムの動作を説明するためのフローチャートである。
【図５】本発明の実施の形態１に係る電子表示システムの動作を説明するためのフローチャートである。
【図６】本発明の実施の形態１に係る電子表示器でのデフォルト動作と変更先動作の組合せの一例を示す図である。
【図７】本発明の実施の形態１に係る電子表示システムの動作を説明するためのフローチャートである。
【図８】本発明の実施の形態１に係る電子表示システムの動作を説明するためのフローチャートである。
【図９】本発明の実施の形態１に係る電子表示器でのデフォルト動作と変更先動作の組合せの他の例を示す図である。
【図１０】本発明の実施の形態１に係る電子表示器でのデフォルト動作と変更先動作の組合せの他の例を示す図である。
【図１１】本発明の実施の形態１に係る電子表示器でのデフォルト動作と変更先動作の組合せの他の例を示す図である。
【図１２】本発明の実施の形態１に係る電子表示器でのデフォルト動作と変更先動作の組合せの他の例を示す図である。
【図１３】本発明の実施の形態１に係る電子表示器でのデフォルト動作と変更先動作の組合せの他の例を示す図である。
【図１４】本発明の実施の形態１に係る電子表示器でのデフォルト動作と変更先動作の組合せの他の例を示す図である。
【図１５】本発明の実施の形態１に係る電子表示器でのデフォルト動作と変更先動作の組合せの他の例を示す図である。
【図１６】本発明の実施の形態１に係る電子表示システムの変形例の動作を説明するためのフローチャートである。
【図１７】本発明の実施の形態２に係る電子表示システムの構成を示す図である。
【図１８】本発明の実施の形態２に係る電子表示器の構成を示す図である。
【図１９】本発明の実施の形態２に係る工程管理サーバの構成を示す図である。
【図２０】本発明の実施の形態２に係る電子表示システムの動作を説明するためのフローチャートである。
【図２１】本発明の実施の形態２に係る電子表示システムの動作を説明するためのフローチャートである。
【図２２】本発明の実施の形態２に係る電子表示システムの動作を説明するためのフローチャートである。
【発明を実施するための形態】
【００１８】
実施の形態１．
図１は本発明の実施の形態１に係る電子表示システム１００の構成を示す図である。本実施の形態１に係る電子表示システム１００は、例えば、物品の製造工場に導入されるシステムであって、具体的には、製造工場において各作業工程での作業を電子表示器を用いて支援する作業支援システムである。
【００１９】
図１に示されるように、本実施の形態１に係る電子表示システム１００は、複数の電子表示器１と、複数のタグリーダ２と、情報配信装置３とを備えている。情報配信装置３は、工程管理サーバ４と通信装置５とで構成されており、複数の電子表示器１が表示する情報を当該複数の電子表示器１に配信する。工程管理サーバ４と複数のタグリーダ２とは、ＬＡＮ等のネットワーク６を通じて相互に接続されている。
【００２０】
図２は各電子表示器１の構成を示す図である。図２に示されるように、電子表示器１は、表示部１０と、ＩＣタグ１１と、上側操作ボタン１２と、下側操作ボタン１３と、通信部１４と、制御部１５とを備えている。
【００２１】
表示部１０は、例えば、ドットマトリクス方式の不揮発性表示部であって、電子ペーパで構成されている。表示部１０は、その表示画面１０ａが電子表示器１の前面から露出するように当該電子表示器１内に収納されている。
【００２２】
ＩＣタグ１１は、電子表示器１の前面に設けられており、自身が属する電子表示器１を識別するための識別情報を記憶している。本電子表示システム１００では、複数の電子表示器１のそれぞれには固有の識別情報が割り当てられており、各電子表示器１は、自身に割り当てられている識別情報を表示器識別情報としてＩＣタグ１１に記憶している。ＩＣタグ１１は、通信対象のタグリーダ２に対して、自身が記憶する表示器識別情報を送信する。
【００２３】
制御部１５は、電子表示器１内に収納されており、ＣＰＵやメモリなどで構成されている。制御部１５は、電子表示器１の各要素を制御することによって電子表示器１全体の動作を管理する。制御部１５は、ＩＣタグ１１と同様に、自身が属する電子表示器１に割り当てられた表示器識別情報を記憶している。
【００２４】
上側操作ボタン１２及び下側操作ボタン１３は、表示部１０の表示画面１０ａとは別に電子表示器１の前面に設けられており、作業者２０（図１参照）が電子表示器１に対して指示を入力するための操作部として機能する。そして、上側操作ボタン１２及び下側操作ボタン１３のそれぞれについての電子表示器１の前面での位置は固定である。したがって、上側操作ボタン１２及び下側操作ボタン１３のそれぞれは、タッチパネルに形成された、表示画面の一部としても機能する操作ボタンとは相違する。作業者２０によって上側操作ボタン１２，１３が操作されると、その操作情報は制御部１５に入力される。制御部１５は、入力された操作情報に応じた処理を行う。以後、上側操作ボタン１２及び下側操作ボタン１３を総称して「操作ボタン」と呼ぶことがある。
【００２５】
通信部１４は、電子表示器１内に収納されており、情報配信装置３が備える通信装置５との間で、電波方式や赤外線方式等の無線通信を行う。通信部１４が、通信装置５からデータを受信すると、そのデータは制御部１５に入力される。制御部１５は、入力されたデータに応じて、例えば表示部１０の表示変更を行う。制御部１５で生成されたデータは、通信部１４を通じて通信装置５に送信される。
【００２６】
なお、電子表示器１には、図示しない複数の電池が設けられている。表示部１０や制御部１５等の各構成要素は、これらの電池から供給される電力によって動作を行うことができる。
【００２７】
本実施の形態に係る電子表示システム１００は、各電子表示器１が、複数の作業場所３０（図１参照）を順に移動するように構成されている。そして、各電子表示器１は、現在位置する作業場所３０で行われる作業工程についての作業内容を表示部１０に表示し、その作業工程が終了し、次の作業場所３０に移動すると、移動先の作業場所３０に応じた作業内容を表示部１０に表示する。これにより、各作業場所３０に位置する作業者２０は、移動してきた電子表示器１によって作業指示が与えられることになり、当該電子表示器１に表示された作業内容に従って作業を行うことになる。各電子表示器１は、例えば、加工対象の物品等の作業対象物が搭載された容器に取り付けられ、当該容器がコンベア等によって作業場所３０に搬送されることによって、複数の作業場所３０を順に移動する。ある作業対象物が載置された容器に取り付けられた電子表示器１が、ある作業場所３０から次の作業場所３０に移動すると、当該ある作業場所３０には、次の作業対象物が搭載された容器に取り付けられた電子表示器１が移動することになる。なお、電子表示器１を作業対象物に直接取り付けても良い。
【００２８】
図１を参照して、複数のタグリーダ２は、複数の作業場所３０と一対一で対応しており、各タグリーダ２は、対応する作業場所３０に配置されている。電子表示器１がある作業場所３０まで移動すると、当該電子表示器１のＩＣタグ１１は、その作業場所３０に位置するタグリーダ２と通信して、当該タグリーダ２に対して、自身が記憶する表示器識別情報を送信する。
【００２９】
本実施の形態１では、電子表示器１と同様に、複数のタグリーダ２のそれぞれにも固有の識別情報（以後、「タグリーダ識別情報」と呼ぶ）が割り当てられており、各タグリーダ２は、割り当てられているタグリーダ識別情報を記憶している。各タグリーダ２は、通信対象のＩＣタグ１１から表示器識別情報を受信すると、当該表示器識別情報と、自身が記憶するタグリーダ識別情報とをネットワーク６を通じて工程管理サーバ４に送信する。
【００３０】
工程管理サーバ４のハードウェアとしての構成は一般的なコンピュータと同様である。図３は工程管理サーバ４の構成を示す図である。図３に示されるように、工程管理サーバ４は、各種演算処理を行うＣＰＵ４０と、ブートプログラム等を記憶するＲＯＭ４１と、演算処理の作業領域となるＲＡＭ４２と、プログラムや各種のデータファイルなどを記憶するハードディスク４３と、現在時刻を計測する計時部４４と、各種表示を行う表示部４５と、キーボード及びマウスなどで構成された操作部４６と、ネットワーク６を介したデータ通信機能を有するデータ通信部４７と、通信装置５と通信するためのインターフェイス４８とを備えている。
【００３１】
工程管理サーバ４のハードディスク４３には、動作プログラムが予め記憶されており、この動作プログラムに従ってＣＰＵ４０が演算処理を行うことにより、工程管理サーバ４としての各種機能が実現される。また、ハードディスク４３には、各作業場所３０で行われる作業工程についての作業内容を示す管理ファイル４３ａが記憶されている。管理ファイル４３ａには、各作業場所３０について、作業場所３０と、当該作業場所３０での作業工程についての作業内容を示す作業指示情報と、当該作業場所３０に配置されたタグリーダ２を識別するためのタグリーダ識別情報とが互いに対応付けられて記述されている。したがって、あるタグリーダ２を識別するためのタグリーダ識別情報が明らかになれば、管理ファイル４３ａを参照することによって、当該タグリーダ２が配置された作業場所３０で行われる作業工程についての作業内容を取得することができる。
【００３２】
また、工程管理サーバ４では、ＣＰＵ４０が、データ通信部４７を通じて、あるタグリーダ２から、タグリーダ識別情報と表示器識別情報とを受け取ると、受け取った表示器識別情報を、それと同時に受け取ったタグリーダ識別情報と一致する、管理ファイル４３ａ内のタグリーダ識別情報に対応付けて記憶する。これにより、管理ファイル４３ａでは、作業場所３０と、作業指示情報と、タグリーダ識別情報と、表示器識別情報とが互いに対応付けられて記憶されることになる。よって、管理ファイル４３ａを参照すると、製造ラインに投入された各電子表示器１について、電子表示器１が位置する作業場所３０と、当該作業場所３０での作業工程についての作業内容とを取得することができる。
【００３３】
なお、ＣＰＵ４０は、受け取った表示器識別情報を管理ファイル４３ａ内のタグリーダ識別情報に対応付けようとした際に、当該タグリーダ識別情報にすでに表示器識別情報が対応付けられている場合には、そのすでに対応付けられている表示器識別情報を、対応付けようとしている新たな表示器識別情報に置き換える。
【００３４】
また、工程管理サーバ４では、ＣＰＵ４０が、受け取ったタグリーダ識別情報によって特定されるタグリーダ２が配置された作業場所３０での作業工程についての作業指示情報を管理ファイル４３ａから取得し、取得した作業指示情報と、タグリーダ２から受信した表示器識別情報とを含む送信信号を生成して通信装置５に出力する。
【００３５】
通信装置５は、各電子表示器１の通信部１４と無線通信が可能である。通信装置５は、工程管理サーバ４から入力された送信信号を各電子表示器１に送信する。また、通信装置５は、電子表示器１からの送信信号を受信して工程管理サーバ４に出力する。
【００３６】
電子表示器１では、制御部１５が、自身が記憶する表示器識別情報と、通信部１４で受信された送信信号に含まれる表示器識別情報とを比較する。制御部１５は、両方の表示器識別情報が一致する場合には、通信部１４が受信した送信信号が自装置向けの信号であると判断し、当該送信信号に含まれる作業指示情報をメモリに記憶する。一方で、制御部１５は、両方の表示器識別情報が一致しない場合には、通信部１４が受信した送信信号が他の電子表示器１向けの信号であると判断し、当該送信信号を破棄する。制御部１５は、作業指示情報をメモリに記憶すると、表示部１０を制御して、メモリ内の作業指示情報を表示部１０に表示する。これにより、電子表示器１の表示画面１０ａには、当該電子表示器１が位置する作業場所３０に応じた作業内容が表示されるようになる。したがって、作業者２０は、近くに存在する電子表示器１に表示された作業内容に基づいて容易に作業を行うことができる。
【００３７】
ここで、情報配信装置３から配信される作業指示情報の情報量が多くて当該作業指示情報が複数のページに及ぶ場合には、作業者２０は、下側操作ボタン１３だけを短時間押下することによって（いわゆる「短押し」）、電子表示器１の表示部１０に作業指示情報を１ページずつ表示することができる。制御部１５は、下側操作ボタン１３だけが押下されるたびに、メモリに記憶されている作業指示情報から次ページ分の情報を取り出して、それを表示部１０に表示させる。このように、下側操作ボタン１３は、表示画面１０ａでの表示ページの切り替えボタンとして機能する。
【００３８】
また、本電子表示器１では、上側操作ボタン１２と下側操作ボタン１３とが同時に長時間押されると（いわゆる「長押し」）、表示部１０及び通信部１４に対する電源の供給が停止し、本電子表示器１は、電源ＯＮ状態から電源ＯＦＦ状態に変化する。また、本電子表示器１では、電源ＯＦＦ状態において、上側操作ボタン１２と下側操作ボタン１３とが同時に長時間押されると、表示部１０及び通信部１４に電源が供給されるようになり、本電子表示器１は、電源ＯＦＦ状態から電源ＯＮ状態となる。表示部１０及び通信部１４に対する電源の供給は、制御部１５によって制御される。
【００３９】
また、本実施の形態１に係る電子表示システム１００では、正常動作を行う限りにおいては、電子表示器１が新たな作業場所３０に移動すると、当該電子表示器１には、当該新たな作業場所３０に応じた作業内容が表示されて、当該電子表示器１の表示は自動的に更新されるようになる。しかしながら、通信装置５と電子表示器１との間に通信不良が生じる等によって、本電子表示システム１００が誤動作した場合には、電子表示器１が新たな作業場所３０に搬送された場合であっても、その表示が自動的に更新されないことがある。
【００４０】
そこで、本実施の形態１に係る電子表示システム１００では、作業者２０は、電子表示器１の上側操作ボタン１２だけを短時間押下することによって、当該電子表示器１の表示を手動で更新することが可能となっている。このときの本電子表示システム１００の動作については後で詳細に説明する。
【００４１】
なお、上述の説明からも理解できるように、複数の作業場所３０のそれぞれにタグリーダ２を設けて、電子表示器１にＩＣタグ１１を設けて、さらに、工程管理サーバ４が管理ファイル４３ａを管理することによって、電子表示器１が存在する位置（より正確には作業場所３０）を特定することができる。よって、電子表示器１に設けたＩＣタグ１１と、複数のタグリーダ２と、工程管理サーバ４とは、当該電子表示器１の位置を特定する位置特定部として機能する。
【００４２】
＜本電子表示システムの基本動作＞
次に、新たな作業場所３０に移動した電子表示器１の表示が更新される際の本電子表示システム１００の動作について説明する。図４は当該動作を説明するためのフローチャートである。以下では、説明の対象となる電子表示器１を「対象電子表示器１」と呼ぶ。
【００４３】
図４に示されるように、ステップｓ１において、トレー等の容器に取り付けられた対象電子表示器１が、当該容器とともにコンベア等の搬送手段によって、新たな作業場所３０まで搬送されると、ステップｓ２において、対象電子表示器１に新たに表示させる作業指示情報が工程管理サーバ４において管理ファイル４３ａから取得される。ステップｓ２では、まず、対象電子表示器１のＩＣタグ１１から、その近傍のタグリーダ２に対して対象電子表示器１を識別するための表示器識別情報が送信される。次に、タグリーダ２は、受信した表示器識別情報と、自身が記憶するタグリーダ識別情報とを工程管理サーバ４に出力する。工程管理サーバ４は、入力されたタグリーダ識別情報で特定されるタグリーダ２が配置された作業場所３０に対応する作業指示情報を管理ファイル４３ａから取得する。ここで取得された作業指示情報が示す作業内容が、対象電子表示器１に新たに表示すべき作業内容である。
【００４４】
次にステップｓ３において、ステップｓ２で取得された作業指示情報が対象電子表示器１に送信される。ステップｓ３では、まず、工程管理サーバ４が、取得した作業指示情報と、タグリーダ２から受け取った表示器識別情報とを含む送信信号を通信装置５に出力する。通信装置５は入力された送信信号を対象電子表示器１に送信する。
【００４５】
次にステップｓ４において、対象電子表示器１は、受信した送信信号に含まれる表示器識別情報と、予め記憶する表示器識別情報とが一致すると、当該送信信号に含まれる作業指示情報を記憶する。そして、対象電子表示器１は、記憶した作業指示情報を表示部１０に表示する。これにより、対象電子表示器１の表示部１０の表示内容は、前の作業場所３０に応じた作業内容から、新たな作業場所３０に応じた作業内容に変更されるようになる。
【００４６】
ステップｓ４において対象電子表示器１の表示が変更されると、ステップｓ５において、作業者２０は、対象電子表示器１に表示された作業内容に従って作業を開始する。その後、ステップｓ６において作業が終了すると、再度ステップｓ１が実行されて、対象電子表示器１は次の新たな作業場所３０に搬送される。以後、同様の処理が行われる。
【００４７】
＜電子表示器の表示の手動更新＞
上述のように、本電子表示システム１００が誤動作した場合には、電子表示器１が新たな作業場所３０に搬送された場合であっても、その表示が自動的に更新されないことがある。本実施の形態１に係る電子表示システム１００では、電子表示器１の上側操作ボタン１２を操作することによって、当該電子表示器１の表示を手動で更新できるようになっている。以下に、電子表示器１の表示を手動で更新する場合の本電子表示システム１００の動作について図５を参照して説明する。
【００４８】
図５に示されるように、ステップｓ１１において、対象電子表示器１が新たな作業場所３０に移動しても、対象電子表示器１において表示される作業指示情報が更新されない場合には、作業者２０は、ステップｓ１２において、対象電子表示器１の表示変更を手動で行うために、対象電子表示器１の前面の上側操作ボタン１２だけを短時間押下する。対象電子表示器１では、上側操作ボタン１２だけが短時間押下されると、ステップｓ１３において、その操作情報が制御部１５に入力され、制御部１５は、作業指示情報の再送の要求を示す再送要求信号を生成する。そして、制御部１５は、生成した再送要求信号に、自装置の表示器識別情報を含めて、当該再送要求信号を通信部１４に送信させる。
【００４９】
対象電子表示器１から送信された再送要求信号は、通信装置５を通じて工程管理サーバ４のＣＰＵ４０に入力される。ＣＰＵ４０は、入力された再送要求信号に含まれる表示器識別情報に対応する作業指示情報を管理ファイル４３ａから取得する。ここで取得された作業指示情報は、対象電子表示器１が表示できなかった情報である。ＣＰＵ４０は、取得した作業指示情報と、入力された再送要求信号に含まれる表示器識別情報とを含む送信信号を生成して通信装置５に出力する。通信装置５は、入力された送信信号を送信する。これにより、ステップｓ１４において、対象電子表示器１が表示できなかった作業指示情報が再送される。
【００５０】
対象電子表示器１は、受信した送信信号に含まれる表示器識別情報と、自身が記憶する表示器識別情報とが一致すると、ステップｓ１５において、当該送信信号に含まれる作業指示情報を表示部１０に表示する。これにより、対象電子表示器１の表示が更新される。
【００５１】
＜操作ボタンに割り当てる動作の変更＞
上述のように、電子表示器１は、上側操作ボタン１２だけが操作されると再送要求信号を送信し、下側操作ボタン１３だけが操作されると表示ページを次ページに変更する。さらに、電子表示器１は、電源ＯＮ状態において上側操作ボタン１２及び下側操作ボタン１３が同時に長押しされると電源ＯＦＦ状態となり、電源ＯＦＦ状態において上側操作ボタン１２及び下側操作ボタン１３が同時に長押しされると電源ＯＮ状態となる。本実施の形態に係る電子表示器１では、操作ボタンが操作された際の動作が、このようなデフォルト動作から他の動作に変更するようになっている。つまり、電子表示器１では、操作ボタンに割り当てられる動作がデフォルト動作から他の動作に変更するようになっている。具体的には、電子表示器１では、その位置に応じて、操作ボタンが操作された際の動作が変更し、さらに、現在時刻に応じて、操作ボタンが操作された際の動作が変更するようになっている。
【００５２】
例えば、電子表示器１が、コンベア等の搬送手段によって、作業場所３０から作業終了場所に搬送されると、当該電子表示器１では、操作ボタンが操作された際の動作がデフォルト動作から変化する。そして、電子表示器１が作業終了場所から作業場所３０に搬送されると、当該電子表示器１では、操作ボタンが操作された際の動作がデフォルト動作に戻るようになる。ここで、作業終了場所とは、すべての作業工程が実行された作業対象物、つまり完成品が集められる場所である。完成品が搭載された容器に取り付けられた電子表示器１は、完成品とともに作業終了場所に搬送される。その後、容器から完成品が取り除かれて、当該容器に新たな作業対象物が搭載されると、この新たな作業対象物とともに電子表示器１は、作業終了場所から最初の作業工程が行われる作業場所３０に搬送されるようになる。このように、電子表示器１では、その位置が作業終了場所に存在する場合には、操作ボタンが操作された際の動作がデフォルト動作とは異なったものとなる。
【００５３】
また、本実施の形態では、現在時刻が休憩開始時刻になると、電子表示器１では、操作ボタンが操作された際の動作がデフォルト動作から変化する。そして、現在時刻が休憩終了時刻になると、電子表示器１では、操作ボタンが操作された際の動作がデフォルト動作に戻るようになる。このように、電子表示器１では、休憩開始時刻から休憩終了時刻までの休憩時間においては、操作ボタンが操作された際の動作がデフォルト動作とは異なったものとなる。
【００５４】
さらに、現在時刻が一日の作業終了時刻になると、電子表示器１では、操作ボタンが操作された際の動作がデフォルト動作から変化する。そして、現在時刻が次の日の作業開始時刻になると、電子表示器１では、操作ボタンが操作された際の動作がデフォルト動作に戻るようになる。このように、電子表示器１では、作業終了時刻から作業開始時刻までの作業終了時間においては、操作ボタンが操作された際の動作がデフォルト動作とは異なったものとなる。
【００５５】
以後、操作ボタンが操作された際に電子表示器１が行うデフォルト動作の変更先の動作を単に「変更先動作」と呼ぶことがある。
【００５６】
図６は、電子表示器１において、操作ボタンが操作された際のデフォルト動作と、作業終了場所、休憩時間及び作業終了時間において操作ボタンが操作された際の動作（変更先動作）とを示す図である。図６に示されるように、作業終了場所、休憩時間及び作業終了時間においては、電子表示器１は、電源ＯＮ状態において、上側操作ボタン１２だけが短時間押下されると電源ＯＦＦ状態となり、電源ＯＦＦ状態において、上側操作ボタン１２だけが短時間押下されると電源ＯＮ状態となる。また、作業終了場所、休憩時間及び作業終了時間において、電子表示器１は、下側操作ボタン１３だけが操作されると、短押し及び長押しにかかわらず、制御部１５はその操作を無視する動作を行うようになっている。
【００５７】
本実施の形態１に係る電子表示システム１００では、電子表示器１が作業場所３０に存在する場合には、電子表示器１が不用意に電源ＯＦＦ状態とならないように、デフォルト動作では、上側操作ボタン１２と下側操作ボタン１３が同時に長押しされたときに、電子表示器１を電源ＯＮ状態から電源ＯＦＦ状態に変化させている。
【００５８】
一方で、電子表示器１が作業終了場所に存在する場合には、電子表示器１が使用されない場合が多いため、簡単な操作で電子表示器１を電源ＯＦＦ状態にできるために、上側操作ボタン１２だけの短押しで電子表示器１を電源ＯＮ状態から電源ＯＦＦ状態に変化させている。さらに、電子表示器１の使用を再開する際には、簡単な操作で電子表示器１を電源ＯＮ状態にできるために、上側操作ボタン１２だけの短押しで電子表示器１を電源ＯＦＦ状態から電源ＯＮ状態に変化させている。
【００５９】
次に、電子表示器１が作業終了場所に搬送されて当該電子表示器１の操作ボタンに割り当てられる動作が変更される際の本電子表示システム１００の動作については説明する。図７は当該動作を示すフローチャートである。本実施の形態１では、作業終了場所にもタグリーダ２が配置されており、工程管理サーバ４が記憶する管理ファイル４３ａには、作業終了場所と、作業終了場所に配置されたタグリーダ２のタグリーダ識別情報とが対応付けられて記述されている。これにより、工程管理サーバ４において、電子表示器１が作業終了場所に位置することが検出できるようになっている。
【００６０】
図７に示されるように、ステップｓ２１において、搬送手段によって対象電子表示器１が作業終了場所に搬送されると、対象電子表示器１のＩＣタグ１１から、作業終了場所に配置されたタグリーダ２に対して対象電子表示器１を識別するための表示器識別情報が送信される。そして、タグリーダ２は、受信した表示器識別情報と、自身が記憶するタグリーダ識別情報とを工程管理サーバ４に出力する。工程管理サーバ４では、ＣＰＵ４０が、管理ファイル４３ａを参照して、入力されたタグリーダ識別情報に作業終了場所が対応付けられていることを確認する。これにより、工程管理サーバ４では、入力された表示器識別情報で特定される電子表示器１が作業終了場所に存在することが認識される。
【００６１】
次にステップｓ２２において、工程管理サーバ４のＣＰＵ４０は、電子表示器１に対して操作ボタンに割り当てる動作を変更することを指示する動作変更指示情報と、入力された表示器識別情報（対象電子表示器１の表示器識別情報）とを含む送信信号を生成する。この送信信号は通信装置５から送信される。
【００６２】
次にステップｓ２３において、対象電子表示器１が動作変更指示情報を含む送信信号を受信すると、制御部１５は、当該送信信号に含まれる表示器識別情報と、自身が記憶する表示器識別情報とを比較する。制御部１５は、両識別情報が一致すると、ステップｓ２４において、操作ボタンに割り当てる動作を、デフォルト動作から、上述の作業終了場所での動作に変更する。つまり、対象電子表示器１は、操作ボタンが操作された際に実行する動作を、デフォルト動作から、作業終了場所での動作に変更する。その後、作業終了場所に存在する対象電子表示器１は、操作ボタンが操作されると、変更後の動作を実行する。
【００６３】
次にステップｓ２５において、搬送手段によって対象電子表示器１が再び作業場所３０に搬送されると、対象電子表示器１のＩＣタグ１１から、その近傍のタグリーダ２に対して表示器識別情報が送信される。タグリーダ２は、受信した表示器識別情報と、自身が記憶するタグリーダ識別情報とを工程管理サーバ４に出力する。工程管理サーバ４では、ＣＰＵ４０が、入力されたタグリーダ識別情報で特定されるタグリーダ２が配置された作業場所３０に対応する作業指示情報を管理ファイル４３ａから取得する。そして、ＣＰＵ４０は、取得した作業指示情報と、動作変更指示情報と、入力された表示器識別情報とを含む送信信号を生成する。この送信信号はステップｓ２６において通信装置５から送信される。
【００６４】
次にステップｓ２７において、対象電子表示器１が情報配信装置３からの送信信号を受信すると、制御部１５は、当該送信信号に含まれる表示器識別情報と、自身が記憶する表示器識別情報とを比較する。制御部１５は、両識別情報が一致すると、入力された送信信号に含まれる作業指示情報を表示部１０に表示するとともに、ステップｓ２８において、操作ボタンに割り当てる動作をデフォルト動作に戻す。その後、作業場所３０に存在する対象電子表示器１は、操作ボタンが操作されると、デフォルト動作を実行する。
【００６５】
次に、現在時刻が休憩開始時刻あるいは作業終了時刻になって電子表示器１の操作ボタンに割り当てられる動作が変更される際の本電子表示システム１００の動作について説明する。図８は当該動作を示すフローチャートである。
【００６６】
図８に示されるように、ステップｓ３１において、工程管理サーバ４の計時部４４は、自身が計測する現在時刻が、自身に予め設定されている休憩開始時刻及び作業終了時刻のどちらか一方と一致すると、ＣＰＵ４０に対してその旨を通知する。ＣＰＵ４０は、計時部４４から、現在時刻が休憩開始時刻及び作業終了時刻のどちらか一方と一致した旨が通知されると、ステップｓ３２において、動作変更指示情報と、当該動作変更指示情報の送信対象の電子表示器１についての表示器識別情報とを含む送信信号を生成し、当該送信信号をインターフェイス４８及び通信装置５を通じて送信する。このとき、ＣＰＵ４０は、複数の作業場所３０に存在する複数の電子表示器１のそれぞれを、動作変更指示情報の送信対象とする。そして、ＣＰＵ４０は、当該複数の電子表示器１のそれぞれについて、表示器識別情報と動作変更指示情報とを含む送信信号を生成する。これらの送信信号は、通信装置５から順に送信される。なお、複数の作業場所３０に存在する複数の電子表示器１についての表示器識別情報は管理ファイル４３ａから取得できる。
【００６７】
次にステップｓ３３において、電子表示器１が動作変更指示情報を含む送信信号を受信すると、当該電子表示器１の制御部１５は、当該送信信号に含まれる表示器識別情報と、自身が記憶する表示器識別情報とを比較する。制御部１５は、両識別情報が一致すると、ステップｓ３４において、操作ボタンに割り当てる動作を、デフォルト動作から、上述の図６に示される変更先動作に変更する。その後、電子表示器１は、操作ボタンが操作されると、変更後の動作を実行する。
【００６８】
次にステップｓ３５において、工程管理サーバ４の計時部４４は、自身が計測する現在時刻が、自身に予め設定されている休憩終了時刻及び作業開始時刻のどちらか一方と一致すると、ＣＰＵ４０に対してその旨を通知する。ＣＰＵ４０は、計時部４４から、現在時刻が休憩終了時刻及び作業開始時刻のどちらか一方と一致した旨が通知されると、ステップｓ３６において、動作変更指示情報と、当該動作変更指示情報の送信対象の電子表示器１の表示器識別情報とを含む送信信号を生成し、当該送信信号をインターフェイス４８及び通信装置５を通じて送信する。このときも、ＣＰＵ４０は、複数の作業場所３０に存在する複数の電子表示器１のそれぞれを、動作変更指示情報の送信対象とする。そして、ＣＰＵ４０は、当該複数の電子表示器１のそれぞれについて、表示器識別情報と動作変更指示情報とを含む送信信号を生成する。これらの送信信号は通信装置５から順に送信される。
【００６９】
次にステップｓ３７において、電子表示器１が動作変更指示情報を含む送信信号を受信すると、当該電子表示器１の制御部１５は、当該送信信号に含まれる表示器識別情報と、自身が記憶する表示器識別情報とを比較する。制御部１５は、両識別情報が一致すると、ステップｓ３８において、操作ボタンに割り当てる動作をデフォルト動作に戻す。その後、電子表示器１は、操作ボタンが操作されるとデフォルト動作を実行する。
【００７０】
以上のように、本実施の形態１に係る電子表示システム１００では、電子表示器１の位置に応じて、当該電子表示器１が有する操作ボタンが操作された際の当該電子表示器１の動作が自動的に変更される。そのため、電子表示器１の位置に応じて、当該電子表示器１の操作ボタンに適切な動作を自動的に割り当てることができる。よって、電子表示器１は、操作ボタンが操作された際に、当該電子表示器１の位置に応じた適切な動作を行うことができる。
【００７１】
また、本実施の形態１では、現在時刻に応じて、電子表示器１が有する操作ボタンが操作された際の当該電子表示器１の動作が自動的に変更される。そのため、現在時刻に応じて、電子表示器１の操作ボタンに適切な動作を自動的に割り当てることができる。よって、電子表示器１は、操作ボタンが操作された際に、現在時刻に応じた適切な動作を行うことができる。
【００７２】
＜第１の変形例＞
上述の図６では、操作ボタンが操作された際の電子表示器１でのデフォルト動作と変更先動作との組合せの一例を示したが、デフォルト動作と変更先動作との組合せについては他のものでも良い。図９は電子表示器１でのデフォルト動作と変更先動作の組合せの他の例を示す図である。図９の例では、図６の例と比較して変更先動作が異なっている。図９の例では、作業終了場所、休憩時間及び作業終了時間において、電子表示器１の上側操作ボタン１２及び下側操作ボタン１３が操作された際には、短押し及び長押しにかかわらず、制御部１５がその操作を無視している。これにより、電子表示器１が使用されない場合において、操作ボタンが操作されたとしても、電子表示器１が無駄な動作を行うことを防止できる。その結果、電子表示器１での消費電力を低減できる。これは、本実施の形態１のように電子表示器１が電池駆動する場合に特に有効である。
【００７３】
＜第２の変形例＞
図１０は電子表示器１でのデフォルト動作と変更先動作の組合せの他の例を示す図である。図１０の例では、図６の例と比較してデフォルト動作が異なっている。本例は、作業指示情報が示す作業内容が複数の作業指示で構成されている場合の例である。図１０のデフォルト動作では、電子表示器１の上側操作ボタン１２だけが短時間押下されると、制御部１５は、メモリに記憶されている作業指示情報から、表示部１０が現在表示している作業指示の次の作業指示を示す情報を取り出して、それを表示部１０に表示させる。一方で、電子表示器１の下側操作ボタン１３だけが短時間押下されると、制御部１５は、メモリに記憶されている作業指示情報から、表示部１０が現在表示している作業指示の前の作業指示を示す情報を取り出して、それを表示部１０に表示させる。これより、操作ボタンを操作することによって、作業内容を構成する複数の作業指示を一つずつ順番に表示することができる。
【００７４】
なお、図１０のデフォルト動作では、上側操作ボタン１２と下側操作ボタン１３が同時に長時間押された場合の電子表示器１の動作については、図６のデフォルト動作と同じである。
【００７５】
＜第３の変形例＞
図１１は電子表示器１でのデフォルト動作と変更先動作の組合せの他の例を示す図である。図１１の例では、図６の例と比較してデフォルト動作が異なっている。本例は、作業指示情報が示す作業内容が多くて、当該作業内容を電子表示器１において一度に表示できない場合の例である。図１１のデフォルト動作では、制御部１５がメモリに記憶されている作業指示情報に基づいて表示部１０を制御することによって、上側操作ボタン１２が押下された時間に応じて、表示部１０の表示が上方向にスクロールするようになっている。また、制御部１５がメモリに記憶されている作業指示情報に基づいて表示部１０を制御することによって、下側操作ボタン１３が押下された時間に応じて、表示部１０の表示が下方向にスクロールするようになっている。これより、操作ボタンを操作することによって、作業内容のすべてを簡単に表示することができる。
【００７６】
なお、図１１のデフォルト動作では、上側操作ボタン１２と下側操作ボタン１３が同時に長時間押された場合の電子表示器１の動作については、図６のデフォルト動作と同じである。
【００７７】
＜第４の変形例＞
図１２は電子表示器１でのデフォルト動作と変更先動作の組合せの他の例を示す図である。図１２の例では、図６の例と比較して変更先動作が異なっている。本例は、複数の作業場所３０の少なくとも一つが品質検査場所に設定されている場合の例である。電子表示器１が品質検査場所に搬送されると、情報配信装置３からは、作業指示情報として、作業対象物に対して行う品質検査の検査内容が当該電子表示器１に送られる。電子表示器１は送られてきた検査内容を表示する。作業者２０は、電子表示器１が表示する検査内容に従って作業対象物に対して品質検査を行う。その後、作業者２０は、品質検査の結果が合格であれば、上側操作ボタン１２だけを短時間押下する。そうすると、制御部１５は、品質検査結果が合格である旨を示すＯＫ信号を生成して通信部１４を通じて送信する。電子表示器１から送信されたＯＫ信号は通信装置５を通じて工程管理サーバ４のＣＰＵ４０に入力される。ＣＰＵ４０は、ＯＫ信号を受けると、ハードディスク４３に対して品質検査結果が合格である旨を記録する。
【００７８】
一方で、作業者２０は、品質検査の結果が不合格であれば、下側操作ボタン１３だけを短時間押下する。そうすると、制御部１５は、品質検査結果が不合格である旨を示すＮＧ信号を生成して通信部１４を通じて送信する。電子表示器１から送信されたＮＧ信号は通信装置５を通じて工程管理サーバ４のＣＰＵ４０に入力される。ＣＰＵ４０は、ＮＧ信号を受けると、ハードディスク４３に対して品質検査結果が不合格である旨を記録する。
【００７９】
なお、電子表示器１が品質検査場所に存在する場合であっても、上側操作ボタン１２と下側操作ボタン１３が同時に長時間押された場合の電子表示器１の動作は変化せず、デフォルト動作と同じである。
【００８０】
このように、電子表示器１が品質検査場所に存在する場合には、品質検査結果の合格／不合格を操作ボタンを操作することによって工程管理サーバ４に通知できるようにすることによって、品質検査結果を簡単に工程管理サーバ４に蓄積することができる。
【００８１】
＜第５の変形例＞
図１３は電子表示器１でのデフォルト動作と変更先動作の組合せの他の例を示す図である。図１３の例では、図６の例と比較して変更先動作が異なっている。本例は、情報配信装置３が電子表示器１に対して裏画面情報を配信する場合の例である。ここで裏画面情報とは、本電子表示システム１００が導入される製造工場での物品の製造に関する、作業指示情報以外の情報である。裏画面情報としては、例えば、作業対象物の出来高及び歩留り、作業温度等の各作業場２０での作業環境条件などがある。本例では、工程管理サーバ４のハードディスク４３に裏画面情報が記憶されており、工程管理サーバ４は電子表示器１からの送信要求があると、通信装置５を通じて裏画面情報を当該電子表示器１に対して送信する。工程管理サーバ４への裏画面情報の入力は、例えば、作業管理者が操作部４６を操作することによって行われる。以下に本例での電子表示システム１００の動作について説明する。
【００８２】
作業終了場所、休憩時間及び作業終了時間において、例えば作業管理者が、電子表示器１の上側操作ボタン１２を短時間押下すると、当該電子表示器１の制御部１５は、裏画面情報の送信要求を示す送信要求信号を生成し、これを通信部１４を通じて送信する。この送信要求信号には、当該電子表示器１の表示器識別情報が含まれている。
【００８３】
電子表示器１から送信された送信要求信号は、通信装置５を通じて工程管理サーバ４にＣＰＵ４０に入力される。ＣＰＵ４０は、送信要求信号を受け取ると、ハードディスク４３から裏画面情報を読み出して、当該裏画面情報と、受け取った送信要求信号に含まれる表示器識別情報とを含む送信信号を生成して、通信装置５を通じて送信する。
【００８４】
電子表示器１では、通信部１４が情報配信装置３からの送信信号を受信すると、制御部１５は、当該送信信号に含まれる表示器識別情報と、自身が記憶する表示器識別情報とを比較する。制御部１５は、両識別情報が一致すると、通信部１４が受信した送信信号に含まれる裏画面情報を表示部１０に表示させる。裏画面情報が複数のページで構成されている場合には、電子表示器１では、作業指示情報を表示する場合と同様に、下側操作ボタン１３が短時間押下されると、表示部１０が裏画面情報の次ページを表示する。
【００８５】
このように、電子表示器１が作業終了場所に存在する場合や、現在時刻が休憩時間及び作業終了時間にある場合には、電子表示器１の上側操作ボタン１２が操作されることによって、当該電子表示器１には裏画面情報が表示される。したがって、作業管理者は、作業終了場所、休憩時間及び作業終了時間において、電子表示器１を利用して裏画面情報を確認することができる。
【００８６】
なお、本例での変動先動作では、上側操作ボタン１２と下側操作ボタン１３が同時に長時間押された場合の電子表示器１の動作については、図６のデフォルト動作と同じである。
【００８７】
＜第６の変形例＞
図１４は電子表示器１でのデフォルト動作と変更先動作の組合せの他の例を示す図である。図１４の例では、図６の例と比較して、デフォルト動作及び変更先動作が異なっている。本例は、情報配信装置３が電子表示器１に対して作業者用裏画面情報と管理者用裏画面情報とを配信することが可能な場合の例である。ここで作業者用裏画面情報とは、作業者に向けた裏画面情報であって、例えば、作業者が行っている作業についての出来高や歩留りなどである。また、管理者用裏画面情報とは、作業管理者に向けた裏画面情報であって、例えば、完成品の出来高や歩留りなどである。作業者用裏画面情報と管理者用裏画面情報とは工程管理サーバ４のハードディスク４３に記憶されている。以下に本例での電子表示システム１００の動作について説明する。
【００８８】
本例の電子表示器１のデフォルト動作は、図６のデフォルト動作に対して、上側操作ボタン１２が長時間押下された際に、電子表示器１が、作業者用裏画面情報の送信要求を示す送信要求信号を送信する動作を加えたものである。作業者によって対象電子表示器１の上側操作ボタン１２が長押しされると、対象電子表示器１の制御部１５は、作業者用裏画面情報の送信要求を示す送信要求信号を生成し、これを通信部１４を通じて送信する。この送信要求信号には、対象電子表示器１の表示器識別情報が含まれている。
【００８９】
対象電子表示器１が送信要求信号を送信した後の本電子表示システム１００の動作は、上述の図１３の例と同様であり、最終的には、対象電子表示器１は、情報配信装置３からの作業者用裏画面情報を表示するようになる。そして、作業者裏画面情報が複数のページに及ぶ場合には、電子表示器１では、下側操作ボタン１３が短時間押下されると、表示部１０が作業者用裏画面情報の次ページを表示する。
【００９０】
なお、電子表示器１の上側操作ボタン１２が短押しされると、当該電子表示器１からは作業指示情報の再送要求が情報配信装置３に対して行われるため、作業者は、上側操作ボタン１２を短押しすることによって、電子表示器１の表示内容を、作業者用裏画面情報から作業指示情報に戻すことができる。
【００９１】
また、本例の変更先動作では、作業終了場所、休憩時間及び作業終了時間において、作業管理者が、対象電子表示器１の上側操作ボタン１２を短時間押下すると、対象電子表示器１の制御部１５は、管理者用裏画面情報の送信要求を示す送信要求信号を生成し、これを通信部１４を通じて送信する。この送信要求信号には、対象電子表示器１の表示器識別情報が含まれている。これ以後の電子表示システム１００の動作も、上述の図１３の例と同様であり、最終的には、対象電子表示器１は、情報配信装置３からの管理者用裏画面情報を表示するようになる。そして、管理者用裏画面情報が複数のページに及ぶ場合には、電子表示器１では、下側操作ボタン１３が短時間押下されると、表示部１０が管理者用裏画面情報の次ページを表示する。
【００９２】
なお、本例でのデフォルト動作及び変動先動作では、上側操作ボタン１２と下側操作ボタン１３が同時に長時間押された場合の電子表示器１の動作については、図６のデフォルト動作と同じである。
【００９３】
このように、電子表示器１のデフォルト動作では、上側操作ボタン１２が長押しされることによって、電子表示器１には作業者用裏画面情報が表示されるため、作業者は、作業場所３０において作業時間中に作業者用裏画面情報を確認することができる。
【００９４】
一方で、電子表示器１の変更先動作では、上側操作ボタン１２が短押しされることによって、電子表示器１には管理者用裏画面情報が表示されるため、作業管理者は、作業終了場所や休憩時間あるいは作業終了時間において管理者用裏画面情報を確認することができる。
【００９５】
＜第７の変形例＞
図１５は電子表示器１でのデフォルト動作と変更先動作の組合せの他の例を示す図である。図１５の例では、図６の例と比較して、デフォルト動作及び変更先動作が異なっている。本例は、電子表示器１が取り付けられた容器が、搬送手段ではなく人によって搬送される場合の例である。本例では、電子表示器１には、その搬送先を示す搬送先情報が表示され、搬送者は、電子表示器１に表示された搬送先情報を確認して、当該電子表示器１が取り付けられた容器を次の作業場所３０に搬送する。また本例では、電子表示器１が作業場所３０に搬送されると、当該電子表示器１では、操作ボタンに割り当てられる動作がデフォルト動作から変更するようになっている。以下に本例での電子表示システム１００の動作について説明する。
【００９６】
本例の電子表示器１のデフォルト動作では、上側操作ボタン１２だけが操作された際には、短押し及び長押しにかかわらず、制御部１５がその操作を無視する。また、下側操作ボタン１３が操作された際には、短押し及び長押しにかかわらず、制御部１５がその操作を無視する。上側操作ボタン１２及び下側操作ボタン１３が同時に長時間押下された際の電子表示器１の動作は、図６のデフォルト動作と同様である。
【００９７】
これに対して、本例の電子表示器１の変更先動作では、上側操作ボタン１２だけが短時間押下されると、電子表示器１は情報配信装置３に対して作業が完了したことを示す作業完了信号を送信する。下側操作ボタン１３だけが短時間押下された際の電子表示器１の動作と、上側操作ボタン１２及び下側操作ボタン１３が同時に長時間押下された際の電子表示器１の動作は、図６のデフォルト動作と同じである。
【００９８】
図１６は本例の電子表示システム１００の動作を説明するためのフローチャートである。図１６に示されるように、ステップｓ４１において、対象電子表示器１が取り付けられた容器が搬送者によって作業場所３０に搬送されて、その後、当該容器が作業位置に配置されると、対象電子表示器１のＩＣタグ１１から、当該作業場所３０に配置されたタグリーダ２に対して対象電子表示器１を識別するための表示器識別情報が送信される。そして、タグリーダ２は、受信した表示器識別情報と、自身が記憶するタグリーダ識別情報とを工程管理サーバ４に出力する。工程管理サーバ４では、ＣＰＵ４０が、管理ファイル４３ａから、入力されたタグリーダ識別情報に対応する作業指示情報を取得する。
【００９９】
次にステップｓ４２において、工程管理サーバ４のＣＰＵ４０は、取得した作業指示情報と、動作変更指示情報と、入力された表示器識別情報（対象電子表示器１の表示器識別情報）とを含む送信信号を生成する。この送信信号は通信装置５から送信される。
【０１００】
次にステップｓ４３において、対象電子表示器１が通信装置５からの送信信号を受信すると、制御部１５は、当該送信信号に含まれる表示器識別情報と、自身が記憶する表示器識別情報とを比較する。制御部１５は、両識別情報が一致すると、通信部１４が受信した送信信号に含まれる作業指示情報を表示部１０に表示させる。その後、制御部１５は、ステップｓ４４において、操作ボタンに割り当てる動作を、デフォルト動作から図１５の変更先動作に変更する。これにより、対象電子表示器１の上側操作ボタン１２は、情報配信装置３に作業終了通知を行うための操作ボタンとなる。
【０１０１】
ステップｓ４５において、対象電子表示器１が存在する作業場所３０での作業が終了すると、ステップｓ４６において、対象電子表示器１の上側操作ボタン１２が作業者によって短押しされる。そうすると、ステップｓ４７において、制御部１５は、自装置の表示器識別情報を含む作業完了信号を生成して通信部１４を通じて送信する。
【０１０２】
対象電子表示器１から送信された作業完了信号は、通信装置５を通じて工程管理サーバ４のＣＰＵ４０に入力される。ＣＰＵ４０は、作業完了信号が入力されると、ステップｓ４８において、対象電子表示器１の次の搬送先の作業場所３０を特定する。ここで、ハードディスク４３が記憶する管理ファイル４３ａには、複数の作業場所３０のそれぞれについての電子表示器１が搬送される順序も記述されている。ＣＰＵ４０は、管理ファイル４３ａを参照して、作業完了信号に含まれる表示器識別情報、つまり対象電子表示器１の表示器識別情報に対応する作業場所３０を特定し、その作業場所３０の次に対象電子表示器１が搬送される作業場所３０を特定する。そして、ＣＰＵ４０は、対象電子表示器１の次の搬送先の作業場所３０を特定するための情報を搬送先情報として、当該搬送先情報と、動作変更指示情報と、対象電子表示器１の表示器識別情報とを含む送信信号を生成する。この送信信号は通信装置５から送信される。
【０１０３】
次にステップｓ４９において、対象電子表示器１が通信装置５からの送信信号を受信すると、制御部１５は、当該送信信号に含まれる表示器識別情報と、自身が記憶する表示器識別情報とを比較する。制御部１５は、両識別情報が一致すると、通信部１４が受信した送信信号に含まれる搬送先情報を表示部１０に表示させる。その後、制御部１５は、ステップｓ５０において、操作ボタンに割り当てる動作を、変更先動作からデフォルト動作に戻す。
【０１０４】
その後、搬送者は、対象電子表示器１に表示されている搬送先情報を確認して、対象電子表示器１を次の作業場所３０まで搬送する。以後、電子表示システム１００では同様の動作が行われる。
【０１０５】
このように、電子表示器１が作業場所３０に搬送されると、当該電子表示器１の操作ボタンを、情報配信装置３に対して作業完了通知を行うための操作ボタンに変更することによって、情報配信装置３から、作業完了後に、当該電子表示器１の搬送先を示す情報を配信して当該電子表示器１に表示させることができる。よって、搬送者は、電子表示器１に表示される情報を確認することによって、当該電子表示器１を次の搬送先まで簡単に搬送することができる。
【０１０６】
実施の形態２．
図１７は本発明の実施の形態２に係る電子表示システム２００の構成を示す図である。本実施の形態２に係る電子表示システム２００の構成は、上述の実施の形態１に係る電子表示システム１００の構成において、情報配信装置３及び電子表示器１の替わりに情報配信装置１３０及び電子表示器１１０を設けるとともに、複数のタグリーダ２及びネットワーク６を除去したものである。そして、情報配信装置１３０の構成は、上述の情報配信装置３の構成において、工程管理サーバ４の替わりに工程管理サーバ１４０を設けたものである。以下に、上述の電子表示システム１００との相違点を中心に、本電子表示システム２００について説明する。
【０１０７】
図１８は各電子表示器１１０の構成を示す図である。図１８に示されるように、電子表示器１１０の構成は、上述の図２に示される電子表示器１の構成において、ＩＣタグ１１を除去するとともに、位置特定部１６及び計時部１７をさらに設けたものである。位置特定部１６は、自身が属する電子表示器１の位置を特定する。位置特定部１６は、例えばＧＰＳ（Global Positioning System）受信機であって、ＧＰＳ衛星からの受信信号に基づいて自装置の位置を緯度経度で特定する。計時部１７は現在時刻を計測する。なお、上側操作ボタン１２及び下側操作ボタン１３に割り当てられるデフォルト動作及び変更先動作は上述の図６と同様である。
【０１０８】
図１９は工程管理サーバ１４０の構成を示す図である。図１９に示されるように、工程管理サーバ１４０の構成は、上述の図３に示される工程管理サーバ４の構成において、計時部４４を除去したものである。本実施の形態２に係る工程管理サーバ１４０のハードディスク４３は管理ファイル４３ａの替わりに管理ファイル１４３ａを記憶している。管理ファイル１４３ａには、各作業場所３０について、作業場所３０と、当該作業場所３０での作業工程についての作業内容を示す作業指示情報とが対応付けられて記述されている。
【０１０９】
＜本電子表示システムの基本動作＞
次に、新たな作業場所３０に移動した電子表示器１１０の表示が変更される際の本電子表示システム２００の動作について説明する。図２０は当該動作を説明するためのフローチャートである。以下では、説明の対象となる電子表示器１１０を「対象電子表示器１１０」と呼ぶ。
【０１１０】
図２０に示されるように、ステップｓ６１において、容器に取り付けられた対象電子表示器１１０が、当該容器とともに搬送手段によって新たな作業場所３０まで搬送されると、ステップｓ６２において、対象電子表示器１１０では、自装置が新たな作業場所３０に搬送されたことが認識される。制御部１５のメモリには各作業場所３０の位置が登録されていることから、制御部１５は、位置特定部１６で特定される自装置の位置を定期的に確認することによって、自装置が新たな作業場所３０に移動したことを認識することができる。制御部１５は、自装置が新たな作業場所３０に移動したことを認識すると、当該作業場所３０を示す情報を位置情報として、当該位置情報と自装置の表示器識別情報とを含む送信信号を生成し、通信部１４を通じて送信する。
【０１１１】
対象電子表示器１１０からの送信信号は通信装置５を通じて工程管理サーバ１４０のＣＰＵ４０に入力される。ＣＰＵ４０は、対象電子表示器１１０からの送信信号が入力されると、ステップｓ６３において、当該送信信号に含まれる位置情報が示す作業場所３０に対応する作業指示情報を管理ファイル１４３ａから取得する。そして、ステップｓ６４において、ＣＰＵ４０は、取得した作業指示情報と、入力された表示器識別情報とを含む送信信号を生成する。この送信信号は通信装置５から送信される。
【０１１２】
対象電子表示器１１０では、通信部１４において通信装置５からの送信信号が受信されると、制御部１５は、当該送信信号に含まれる表示器識別情報と、予め記憶する表示器識別情報とを比較する。制御部１５は、両識別情報が一致すると、通信部１４が受信した送信信号に含まれる作業指示情報を記憶するとともに、当該作業指示情報を表示部１０に表示させる。これにより、対象電子表示器１１０の表示が更新される。
【０１１３】
対象電子表示器１１０の表示が更新されると、ステップｓ６６において、作業者２０は、対象電子表示器１１０に表示されている作業指示情報に従って作業を開始する。その後、ステップｓ６７において作業が終了すると、再度ステップｓ６１が実行されて、対象電子表示器１１０は次の新たな作業場所３０に搬送される。以後、同様の処理が行われる。
【０１１４】
なお、電子表示器１１０が新たな作業場所３０に搬送されたとしても、本電子表示システム２００が誤動作した場合には、当該電子表示器１１０の表示が更新されないことがある。この場合には、上述の実施の形態１と同様に、電子表示器１１０の上側操作ボタン１２が短押しされると、当該電子表示器１１０から作業指示情報の再送要求が情報配信装置１３０に通知される。電子表示器１１０から再送要求が通知された情報配信装置１３０は、当該電子表示器１１０に対して作業指示情報を再送する。電子表示器１１０は、再送された作業指示情報を受信すると、当該作業指示情報を表示する。
【０１１５】
＜操作ボタンに割り当てる動作の変更＞
次に、電子表示器１１０が作業終了場所に搬送されて当該電子表示器１１０の操作ボタンに割り当てられる動作が変更される際の本電子表示システム２００の動作については説明する。図２１は当該動作を示すフローチャートである。本実施の形態２に係る電子表示器１１０では、作業終了場所の位置も制御部１５のメモリに登録されており、制御部１５は、位置特定部１６で特定される自装置の位置を定期的に確認することによって、自装置が作業終了場所に移動したことを認識できる。
【０１１６】
図２１に示されるように、ステップｓ７１において、搬送手段によって対象電子表示器１１０が作業終了場所に搬送されると、対象電子表示器１１０では、制御部１５が、自装置が作業終了場所に移動したことを認識する。制御部１５は、自装置が作業終了場所に移動したと認識すると、ステップｓ７２において、操作ボタンに割り当てる動作を、デフォルト動作から変更先動作に変更する。
【０１１７】
その後、ステップｓ７３において、搬送手段によって対象電子表示器１１０が再び作業場所３０に搬送されると、対象電子表示器１１０では、制御部１５が、自装置が作業場所３０に移動したことを認識する。制御部１５は、自装置が作業場所３０に移動したと認識すると、ステップｓ７４において、操作ボタンに割り当てる動作にデフォルト動作に戻す。
【０１１８】
次に、現在時刻が休憩開始時刻あるいは作業終了時刻になって電子表示器１１０の操作ボタンに割り当てられる動作が変更される際の本電子表示システム２００の動作について説明する。図２２は当該動作を示すフローチャートである。
【０１１９】
図２２に示されるように、ステップｓ８１において、対象電子表示器１１０の計時部１７は、自身が計測する現在時刻が、自身に予め設定されている休憩開始時刻及び作業終了時刻のどちらか一方と一致すると、制御部１５に対してその旨を通知する。制御部１５は、計時部１７から、現在時刻が休憩開始時刻及び作業終了時刻のどちらか一方と一致した旨が通知されると、ステップｓ８２において、操作ボタンに割り当てる動作を、デフォルト動作から変更先動作に変更する。
【０１２０】
ステップｓ８３において、計時部１７は、自身が計測する現在時刻が、自身に予め設定されている休憩終了時刻及び作業開始時刻のどちらか一方と一致すると、制御部１５に対してその旨を通知する。制御部１５は、計時部１７から、現在時刻が休憩終了時刻及び作業開始時刻のどちらか一方と一致した旨が通知されると、ステップｓ８４において、操作ボタンに割り当てる動作にデフォルト動作に戻す。
【０１２１】
以上のように、本実施の形態２では、実施の形態１と同様に、電子表示器１１０の位置に応じて、操作ボタンが操作された際の動作が自動的に変更される。そのため、電子表示器１１０の位置に応じて、当該電子表示器１１０の操作ボタンに適切な動作を自動的に割り当てることができる。よって、電子表示器１１０は、操作ボタンが操作された際に、当該電子表示器１１０の位置に応じた適切な動作を行うことができる。
【０１２２】
また、本実施の形態２では、実施の形態１と同様に、現在時刻に応じて、電子表示器１１０が有する操作ボタンが操作された際の当該電子表示器１１０の動作が自動的に変更される。そのため、現在時刻に応じて、電子表示器１１０の操作ボタンに適切な動作を自動的に割り当てることができる。よって、電子表示器１１０は、操作ボタンが操作された際に、現在時刻に応じた適切な動作を行うことができる。
【０１２３】
なお、本実施の形態２に係る電子表示システム２００では、電子表示器１１０の位置に応じて、当該電子表示器１１０が自ら、操作ボタンが操作された際の動作を変更している。具体的には、電子表示器１１０の制御部１５が、当該電子表示器１１０の位置に応じて、当該電子表示器１１０の操作ボタンが操作された際の当該電子表示器１１０の動作を変更している。このように、本電子表示システム２００では、電子表示器１１０の位置に応じて、当該電子表示器１１０の操作ボタンが操作された際の当該電子表示器１１０の動作の変更を行う動作変更部が当該電子表示器１１０に設けられている。
【０１２４】
これに対して、上述の実施の形態１に係る電子表示システム１００では、電子表示器１の位置に応じて、情報配信装置３が、当該電子表示器１の操作ボタンが操作された際の当該電子表示器１の動作の変更を行っている。具体的には、情報配信装置３における工程管理サーバ４のＣＰＵ４０が、電子表示器１１０の位置に応じて、当該電子表示器１１０の操作ボタンが操作された際の当該電子表示器１１０の動作を変更している。このように、電子表示器１の位置に応じて、当該電子表示器１の操作ボタンが操作された際の当該電子表示器１の動作の変更を行う動作変更部を情報配信装置３に設けることによって、電子表示器１での処理が簡素化される。よって、電子表示器１での消費電力が低減される。これは、電池で駆動する電子表示器１では特に有効である。
【０１２５】
また、本電子表示システム２００では、現在時刻に応じて、電子表示器１１０が自ら、操作ボタンが操作された際の動作を変更している。具体的には、電子表示器１１０の制御部１５が、現在時刻に応じて、当該電子表示器１１０の操作ボタンが操作された際の当該電子表示器１１０の動作を変更している。このように、本電子表示システム２００では、現在時刻に応じて、電子表示器１１０の操作ボタンが操作された際の当該電子表示器１１０の動作の変更を行う動作変更部が当該電子表示器１１０に設けられている。さらに、本電子表示システム２００では、現在時刻を計測する計時部１７が電子表示器１１０に設けられている。
【０１２６】
これに対して、上述の実施の形態１に係る電子表示システム１００では、現在時刻に応じて、情報配信装置３が、当該電子表示器１の操作ボタンが操作された際の当該電子表示器１の動作の変更を行っている。具体的には、情報配信装置３における工程管理サーバ４のＣＰＵ４０が、現在時刻に応じて、電子表示器１１０の操作ボタンが操作された際の当該電子表示器１１０の動作を変更している。このように、現在時刻に応じて、電子表示器１の操作ボタンが操作された際の当該電子表示器１の動作の変更を行う動作変更部を情報配信装置３に設けることによって、電子表示器１での処理が簡素化される。その結果、電子表示器１での消費電力を低減できる。さらに、実施の形態１のように、現在時刻を計測する計時部４４を情報配信装置３に設けることによって、電子表示器１での処理がさらに簡素化され、電子表示器１での消費電力がさらに低減する。
【符号の説明】
【０１２７】
１，１１０  電子表示器
２  タグリーダ
３，１３０  情報配信装置
４  工程管理サーバ
１０ａ  表示画面
１１  ＩＣタグ
１２  上側操作ボタン
１３  下側操作ボタン
１５  制御部
１６  位置特定部
４０  ＣＰＵ
１７，４４  計時部
１００，２００  電子表示システム
【図１】
2010243672.tif 000003
【図２】
2010243672.tif 000004
【図３】
2010243672.tif 000005
【図４】
2010243672.tif 000006
【図５】
2010243672.tif 000007
【図６】
2010243672.tif 000008
【図７】
2010243672.tif 000009
【図８】
2010243672.tif 000010
【図９】
2010243672.tif 000011
【図１０】
2010243672.tif 000012
【図１１】
2010243672.tif 000013
【図１２】
2010243672.tif 000014
【図１３】
2010243672.tif 000015
【図１４】
2010243672.tif 000016
【図１５】
2010243672.tif 000017
【図１６】
2010243672.tif 000018
【図１７】
2010243672.tif 000019
【図１８】
2010243672.tif 000020
【図１９】
2010243672.tif 000021
【図２０】
2010243672.tif 000022
【図２１】
2010243672.tif 000023
【図２２】
2010243672.tif 000024